(57)【要約】画像投影システムにおける画像の歪みを補正する装置および方法は、画像の各スキャンラインを形成するレーザービームを掃引するために用いられる駆動信号の振幅を調整することによって、投影された画像の複数のスキャンラインを、全て同一の長さにすることを含む。投影面に投影された画像の歪みを補正する装置であって、レーザービームを放射するレーザーと、スキャナーと、振幅を有する駆動信号を用いて該第１のスキャンミラーを駆動する、駆動回路と、各スキャンラインに対する該駆動信号の該振幅を決定する、フィードバック回路と、画像の歪みを補正する、コントローラとを備えている、装置。
2008547054.tif 000002
【特許請求の範囲】
【請求項１】
投影面に投影された画像の歪みを補正する装置であって、
ａ）レーザービームを放射するレーザーと、
ｂ）スキャナーであって、該スキャナーは、該投影面にスキャンラインを形成するために第１のスキャン方向に沿って該レーザービームを掃引する第１のスキャンミラーと、該投影面に複数のスキャンラインのラスターパターンを形成するために該第１のスキャン方向にほぼ直交する第２のスキャン方向に沿って該スキャンラインを掃引する、第２のスキャンミラーとを含み、該複数のスキャンラインは、該レーザービームが移動した、該第２のスキャンミラーと該投影面との間のさまざまな距離に起因して、該第１のスキャン方向に沿ってさまざまな長さを有し、各スキャンラインは、該第１のスキャン方向に沿って多数のピクセルを有する、スキャナーと、
ｃ）振幅を有する駆動信号を用いて該第１のスキャンミラーを駆動する、駆動回路と、
ｄ）各スキャンラインに対する該駆動信号の該振幅を決定する、フィードバック回路と、
ｅ）該画像を生成するために選択されたピクセルを、該レーザービームによって、照明し、視覚できるように変え、かつ、同一の長さで該画像の該複数のスキャンラインを生成するために、各スキャンラインに対する該駆動信号の該振幅を調整することによって、画像の歪みを補正する、コントローラと
を備えている、装置。
【請求項２】
異なる波長のそれぞれのレーザービームを放射する、追加のレーザーと、前記第１のスキャンミラーに向けられた合成ビームに、該レーザービームの全てを同一直線上に配列する光学アセンブリとをさらに含む、請求項１に記載の装置。
【請求項３】
前記駆動回路は、第１のスキャン角で、対向する円周方向に前記第１のスキャンミラーを振動するように動作可能であり、前記コントローラは、前記駆動信号の前記振幅が調整される際に、該第１のスキャン角を調整するように動作可能である、請求項１に記載の装置。
【請求項４】
前記コントローラは、マイクロプロセッサと、前記駆動信号の前記振幅の値が格納されるルックアップテーブルとを含む、請求項１に記載の装置。
【請求項５】
前記画像の歪みを除去するために、前記複数のスキャンラインの前記長さを手動で調整する前記マイクロプロセッサとの、ユーザ入力インタフェースをさらに含む、請求項４に記載の装置。
【請求項６】
前記投影面は、平らなスクリーンである、請求項１に記載の装置。
【請求項７】
投影面に投影される画像の歪みを補正する方法であって、
ａ）レーザービームを放射するステップと、
ｂ）第１のスキャン方向に沿って、第１のスキャンミラーを用いて該レーザービームを掃引することによって、該投影面にスキャンラインを形成し、かつ、該第１のスキャン方向にほぼ直交する第２のスキャン方向に沿って、第２のスキャンミラーを用いて該スキャンラインを掃引することによって、該投影面に複数のスキャンラインのラスターパターンを形成するステップであって、該複数のスキャンラインは、該レーザービームが移動した、該第２のスキャンミラーと該投影面との間のさまざまな距離に起因して、該第１のスキャン方向に沿ってさまざまな長さを有し、各スキャンラインは、該第１のスキャン方向に沿って多数のピクセルを有する、ステップと、
ｃ）振幅を有する駆動信号を用いて該第１のスキャンミラーを駆動するステップと、
ｄ）各スキャンラインに対する該駆動信号の該振幅を決定するステップと、
ｅ）該画像を生成するために、該レーザービームによって、選択されたピクセルを、照明し、視覚できるように変え、かつ、同一の長さで該画像の該複数のスキャンラインを生成するために、各スキャンラインに対する該駆動信号の該振幅を調整することによって、画像の歪みを補正するステップと
を包含する、方法。
【請求項８】
さまざまな波長のそれぞれのレーザービームを放射することと、前記第１のスキャンミラーに向けられた合成ビームに、該レーザービームの全てを同一直線上に配列することとをさらに含む、請求項７に記載の方法。
【請求項９】
前記駆動するステップは、第１のスキャン角で、対向する円周方向に前記第１のスキャンミラーを振動することを含み、前記調整するステップは、前記駆動信号の前記振幅が調整される際に、該第１のスキャン角を調整することによって行われる、請求項７に記載の方法。
【請求項１０】
ルックアップテーブルに前記駆動信号の前記振幅の値を格納することをさらに含む、請求項７に記載の方法。
【請求項１１】
前記画像の歪みを除去するために、前記複数のスキャンラインの前記長さを手動で調整することをさらに含む、請求項１０に記載の方法。
【発明の詳細な説明】
【技術分野】
【０００１】
本発明は、概してスクリーンなどの投影面への画像の投影に関し、より具体的には、そのような画像の歪みの補正に関する。
【背景技術】
【０００２】
一組のスキャンミラーを、互いに直交する方向に振動することによって、スキャンラインのラスターパターン上でレーザービームをスキャンすることに基づいて、スクリーンなどの投影面に二次元の画像を投影することが、一般的に公知である。しかし、公知の画像投影システムは、限られた解像度、通常は、６４０ｘ４８０ピクセルのビデオグラフィックスアレイ（ＶＧＡ）品質の１／４未満で画像を投影し、主に画像投影システムに対するスクリーンの方向によって引き起こされる、いくらかの画像の歪みを伴う。
【０００３】
例えば、正方形または長方形の画像エリアを有する画像が、該画像が投影される光軸に対して傾いている傾斜スクリーンに投影されるときには、投影された画像は、当該分野において「台形」歪みとして公知の台形または四辺形の歪みを受ける。言い換えると、画像投影システムのより近くに位置するスキャンラインと比較すると、長さがより長い、画像投影システムからより離れて位置するスキャンラインが存在する。
【０００４】
別の例として、スクリーンは、画像投影システムの光軸に直角をなすように中央に位置し得る。投影角が非常に幅広い場合には、画像エリアの上面および底面のスキャンラインは、画像エリアの中央のスキャンラインよりも長くなる。これは、当該分野において、一般的に、横から横への、または東から西への「糸巻型」歪みとして公知である。
【０００５】
そのような糸巻型または台形の歪みは、一般的に当該分野において、画像エリアを正方向または長方形にするために、画像エリアの三角形の区間を電子的に切り取ったり（ｃｌｉｐｐｉｎｇ）、または刈り取ったり（ｃｒｏｐｐｉｎｇ）することによって補正される。しかし、これがなされると、使用可能なピクセルを失うことによって、画像の解像度が被害を受ける。
【発明の開示】
【発明が解決しようとする課題】
【０００６】
従って、画像プロジェクタによって台形歪みおよび糸巻型歪みを、たとえ除去されなくとも、低減させることが、本発明の一般的な目的である。
【０００７】
より具体的には、同一の長さのスキャンラインを有する、歪みのない画像を投影することが、本発明の目的である。
【０００８】
画像の解像度を損なうことなく、画像の歪みを補正することが、本発明のさらなる目的である。
【課題を解決するための手段】
【０００９】
以下で明らかとなる上記の目的および他の目的に従って、本発明の一つの特徴は、簡潔に述べると、投影面に投影された画像の歪みを補正する装置および方法にある。
【００１０】
レーザーは、特定の波長のレーザービームを放射するように動作可能である。投影される画像が、カラーである場合には、異なる波長のレーザービームを放射する追加のレーザー、例えば、赤色、青色および緑色のレーザーが用いられ、それらレーザーのそれぞれのレーザービームは、同一直線上に配列され、合成ビームになる。
【００１１】
スキャナーは、複数のスキャンラインのラスターパターンを形成するために、レーザービーム（または合成ビーム）を掃引するように動作可能である。スキャナーは、投影面にスキャンラインを形成するために第１のスキャン方向に沿って該レーザービームを掃引する第１のスキャンミラーと、投影面に複数のスキャンラインのラスターパターンを形成するために第１のスキャン方向にほぼ直交する第２のスキャン方向に沿ってスキャンラインを掃引する、第２のスキャンミラーとを含む。複数のスキャンラインは、レーザービームが移動した、第２のスキャンミラーと投影面との間のさまざまな距離に起因して、第１のスキャン方向に沿ってさまざまな長さを有する。各スキャンラインは、第１のスキャン方向に沿って多数のピクセルを有する。
【００１２】
駆動回路は、振幅を有する駆動信号を用いて第１のスキャンミラーを駆動するように動作可能である。好適には、駆動回路は、第１のスキャン角で、対向する円周方向に第１のスキャンミラーを振動するように動作可能である。
【００１３】
本発明に従って、フィードバック回路が、各スキャンラインに対する駆動信号の振幅を決定するために提供される。コントローラ、好適にはプログラムされたマイクロプロセッサが、画像を生成するために選択されたピクセルを、レーザービームによって、照明し、視覚できるように変え、本発明にさらに従って、同一の長さで画像の該複数のスキャンラインを生成するために、各スキャンラインに対する駆動信号の振幅を調整することによって、画像の歪みを補正する。ユーザ入力インタフェースが用いられることによって、見る人が、複数のスキャンラインの長さを手動で調整することを可能にし得る。
【発明を実施するための最良の形態】
【００１４】
図１の参照番号１０は、概してハンドヘルド機器、例えば携帯情報端末を示し、図２において示される、軽量かつ小型の画像投影装置２０が取り付けられており、該機器からのさまざまな距離において、二次元およびカラーで、歪みのない画像を投影するように動作可能である。例として、画像１８は、該機器１０に対する作動距離範囲内に位置する。
【００１５】
図１に示されるように、歪みのない画像１８は、画像の、水平方向に沿って延びている、光学的な水平スキャン角Ａ、および垂直方向に沿って延びている、光学的な垂直スキャン角Ｂに延びている。以下に記述されるように、画像は、装置２０の中のスキャナーによって掃引されるスキャンラインのラスターパターン上の、照明されたピクセルおよび照明されていないピクセルから成る。
【００１６】
機器１０の平行六面体の形状は、装置２０が実装され得る筐体の、単なる一つの形状因子を表す。機器は、ペン、セルラー電話、クラムシェル（ｃｌａｍｓｈｅｌｌ）または腕時計などの形を取り得る。好適な実施形態において、装置２０は、約３０立方センチメートル未満の体積である。このコンパクトな小型のサイズは、装置２０が、大型または小型、携帯用または固定式などの多くのさまざまな形状の筐体に取り付けられることを可能にし、該筐体の一部は、オンボードディスプレイ１２、キーパッド１４、および画像が投影されるウィンドウ１６を有する。
【００１７】
図２および図３を参照すると、装置２０は、半導体レーザー２２を含み、該レーザーは、電圧を加えられると、約６３５〜６５５ナノメートルで明るい赤色レーザービームを放射する。レンズ２４は、正の焦点距離を有する両面非球面凸面レンズであり、事実上、赤色ビームの中の全てのエネルギーを収集し、回折が制限されたビームを生成するように動作可能である。レンズ２６は、負の焦点距離を有する凹面レンズである。レンズ２４および２６は、機器１０の内部の支持部（簡素化のために図２においては例証されていない）上で離れたところにある、例証されていない、それぞれのレンズホルダーによって保持される。レンズ２４および２６は、作動距離上で赤色ビームの輪郭を形作る。
【００１８】
別の半導体レーザー２８が、支持部に取り付けられ、該レーザーは、電圧を加えられると、約４７５〜５０５ナノメートルで回折が制限された青色レーザービームを放射する。別の両面非球面凸面レンズ３０および凹面レンズ３２が、レンズ２４および２６と類似した方法で青色ビームの輪郭を形作るために用いられる。
【００１９】
約５３０ナノメートルの波長を有する緑色レーザービームは、半導体レーザーによっては生成されず、その代わりに、出力ビームが１０６０ナノメートルであり、赤外線の、ダイオードで励起されるＹＡＧ結晶レーザーを有する、緑色モジュール３４によって生成される。非線形周波数二倍結晶が、二つのレーザーミラーの間の赤外線レーザーキャビティの中に含まれる。キャビティの中の赤外線レーザー電力は、キャビティの外側で結合された電力よりも遥かに大きいので、周波数二倍器は、キャビティの内部で二倍周波数の緑色光を生成することが、より効率的である。レーザーの出力ミラーは、１０６０ｎｍの赤外線放射を反射し、二倍になった５３０ｎｍの緑色レーザービームを透過可能である。固体レーザーおよび周波数二倍器の正しい操作は、正確な温度制御が要求されるので、ペルチェ効果に依存する熱電クーラーなどの半導体デバイスが、緑色レーザーモジュールの温度を制御するために用いられる。熱電クーラーは、印加された電流の極性に応じて、デバイスを加熱または冷却し得る。サーミスタが、緑色レーザーモジュールの温度を監視するために、その一部となっている。サーミスタからの読出しは、コントローラに供給され、該コントローラは、それに応じて熱電クーラーへの制御電流を調整する。
【００２０】
以下に説明されるように、レーザーは、約１００ＭＨｚの周波数で、動作の際にパルスされる。赤色半導体レーザー２２および青色半導体レーザー２８は、そのような高い周波数においてパルスされ得るが、現在利用可能な緑色固体レーザーはそのようにはパルスされ得ない。結果として、緑色モジュール３４から出る緑色レーザービームは、緑色ビームを回折するために結晶内部に音響定常波を生成する、音響光学変調器（ＡＯＭ）を用いてパルスされる。しかし、ＡＯＭ３６は、ゼロ次の非回折ビーム３８および一次のパルスされ、回折されたビーム４０を生成する。ビーム３８および４０は互いに異なり、望まれないゼロ次のビーム３８を除去して分離させるために、ビーム３８および４０は、フォールディングミラー４２を有する、長く、折り曲がった経路に沿ってルートされる。あるいは、ＡＯＭは、緑色レーザーモジュールに対して外部にまたは内部に用いられることによって、緑色レーザービームをパルスし得る。緑色レーザービームを変調するために他に可能な方法は、電子吸着変調またはＭａｃｈ−Ｚｅｎｄｅｒ干渉計を含む。ＡＯＭは、図２において模式的に示される。
【００２１】
ビーム３８および４０は、正のレンズ４４および負のレンズ４６を介してルートされる。しかし、回折された緑色ビーム４０のみが、フォールディングミラー４８に衝突し、反射することが可能である。非回折ビーム３８は、好適にはミラー４８に取り付けられた、吸収器５０によって吸収される。
【００２２】
装置は、一組のダイクロイックフィルタ５２および５４を含み、それらのフィルタは、緑色、青色および赤色のビームがスキャニングアセンブリ６０に到達する前に、可能な限り同一直線上にするように配列される。フィルタ５２は、緑色ビーム４０を通過させるが、青色レーザー２８からの青色ビーム５６は、干渉効果によって反射される。フィルタ５４は、緑色ビーム４０および青色ビーム５６を通過させるが、赤色レーザー２２からの赤色ビーム５８は、干渉効果によって反射される。
【００２３】
ほとんど同一直線上のビーム４０、５６および５８は、固定されたバウンスミラー６２に向けられ、はね返る。スキャニングアセンブリ６０は、第１のスキャンミラー６４および第２のスキャンミラー６８とを含み、該第１のスキャンミラーは、第１の水平スキャン角Ａでバウンスミラー６２から反射されたレーザービームを掃引するために、第１のスキャン速度で慣性ドライブ６６（図４〜図５において独立して示される）によって振動可能であり、該第２のスキャンミラーは、第２の垂直スキャン角Ｂで第１のスキャンミラー６４から反射されたレーザービームを掃引するために、第２のスキャン速度で電磁ドライブ７０によって振動可能である。異なる構造において、スキャンミラー６４および６８は、単一の二軸ミラーによって置換され得る。
【００２４】
慣性ドライブ６６は、高速で低電力消費型の構成要素である。慣性ドライブの詳細は、本出願と同一譲受人に譲渡された、２００３年３月１３日に出願された米国特許出願第１０／３８７，８７８号に見受けられ得、該出願は、本明細書において参考として援用される。慣性ドライブの使用は、スキャニングアセンブリ６０の電力消費を、１ワット未満に低減させ、カラー画像の投影の場合においては、以下に記述されるように、１０ワット未満である。
【００２５】
ドライブ６６は、可動フレーム７４を含み、該フレームは、ヒンジを用いることによって、スキャンミラー６４を支持する。該ヒンジは、ヒンジ軸に沿って延びてスキャンミラー６４の対向領域と該フレームの対向領域との間で接続された、一組の同一直線上のヒンジ部分７６および７８を含む。フレーム７４は、示されるように、スキャンミラー６４を囲む必要はない。
【００２６】
フレーム、ヒンジ部分、およびスキャンミラーは、一体型で一般的に平らな、約１５０μの厚さのシリコン基板から製作される。シリコンは、上部平行スロット区間、下部平行スロット区間およびＵ字中央スロット区間を有するオメガ形状のスロットを形成するためにエッチングされる。好適には、スキャンミラー６４は、楕円形であり、スロット区間を自由に動く。好適な実施形態において、楕円形のスキャンミラーの軸に沿った寸法は、７４９μｘ１６００μである。それぞれのヒンジ部分は、幅２７μおよび長さ１１３０μの寸法を取る。フレームは、幅３１００μおよび長さ４６００μの、長方形の形状を有する。
【００２７】
慣性ドライブは、一般的に平らな、プリント回路基板８０上に取り付けられ、直接的にフレームを動かし、慣性によって間接的にスキャンミラー６４をヒンジ軸の周囲で振動するように動作可能である。慣性ドライブの一実施形態は、基板８０から垂直に延び、ヒンジ部分７６のいずれかの側でフレーム７４の間隔を置いた部分と接触する、一組の圧電変換器８２および８４を含む。接着剤が用いられることによって、各変換器の一端と各フレーム部分との永久的な接触を保証し得る。各変換器の対向する端は、基板８０の背面から突出しており、周期的な交流電圧源（不図示）に、ワイヤ８６および８８によって電気的に接続されている。
【００２８】
使用において、周期的な信号が、各変換器に周期的な駆動電圧を印加し、それぞれの変換器の長さを交互に延長および収縮させる。変換器８２が延長するときには、変換器８４は収縮し、その逆も同じであり、これによって、ヒンジ軸の周りでフレームの向きを変える。駆動電圧は、スキャンミラーの共振周波数に対応する周波数を有する。スキャンミラーは、その最初の静止位置から、該共振周波数においてヒンジ軸の周りで振動するまで、動かされる。好適な実施形態において、フレームおよびスキャンミラーは、約１５０μの厚さであり、スキャンミラーは、高いＱ値を有する。各変換器による約１μの動きが、２０ｋＨｚを超えるスキャン速度におけるスキャンミラーの振動を起こす。
【００２９】
別の一組の圧電変換器９０および９２が、基板８０から垂直に延び、ヒンジ部分７８のいずれかの側でフレーム７４の間隔を置いた部分と永久的に接触する。変換器９０および９２は、フレームの振動の動きを監視し、フィードバック制御回路（図５においては示されない）に、ワイヤ９４および９６に沿って電気的なフィードバック信号を生成および電動する、フィードバックデバイスとして機能する。
【００３０】
あるいは、フィードバックのために圧電変換器９０および９２を用いる代わりに、磁石が高速ミラーの背面に取り付けられ、外部コイルが、振動磁石によって生成された、変化する磁界をピックアップするために用いられる、磁気フィードバックが用いられ得る。
【００３１】
光はスキャンミラーの外部面から反射し得るが、金、銀またはアルミニウムから作られた鏡面コーティング、あるいは特別に設計された高反射誘電性コーティングを用いて、ミラー６４の表面をコーティングすることが望ましい。
【００３２】
電磁ドライブ７０は、第２のスキャンミラー６８の前後に共に取り付けられた永久磁石と、周期的な駆動信号の受信に応答して周期的な磁界を生成するために動作可能な電磁駆動コイル７２とを含む。駆動コイル７２は、磁石に隣接することによって、周期的な磁界が、磁石の永久的な磁界と磁気的に相互作用し、磁石と第２のスキャンミラー６８とを順番に振動させる。
【００３３】
慣性ドライブ６６は、好適には５ｋＨｚより大きな高速のスキャン速度、より具体的には約１８ｋＨｚまたはそれ以上でスキャンミラー６４を振動させる。この高いスキャン速度は、聞き取れない周波数であり、これによって、ノイズおよび振動を最小限にする。電磁ドライブ７０は、約４０Ｈｚの遅いスキャン速度でスキャンミラー６８を振動させるが、該４０Ｈｚのスキャン速度は、過度のちらつきを有することなく、画像が人間の目の網膜に消えずに残るには、充分に速い速度である。
【００３４】
より速いミラー６４は、水平のスキャンラインを掃引し、より遅いミラー６８は、水平のスキャンラインを垂直に掃引し、これによって、画像が構築されるおおよそ平行なスキャンラインのグリッドまたはシーケンスである、ラスターパターンを生成する。それぞれのスキャンラインは、多数のピクセルを有する。画像の解像度は、好適には１０２４ｘ７６８ピクセルのＸＧＡ品質である。制限された作動範囲の上で、高精細度テレビの基準、７２０ｐで示される、１２７０ｘ７２０ピクセルが表示され得る。一部の適用において、ＶＧＡ品質の１／２である３２０ｘ４８０ピクセル、またはＶＧＡ品質の１／４の３２０ｘ２４０ピクセルが充分である。最低でも、１６０ｘ１６０ピクセルの解像度が望ましい。
【００３５】
ミラー６４および６８の役割が逆転され得、その結果として、ミラー６８がより速くなり、ミラー６４がより遅くなる。ミラー６４はまた、垂直のスキャンラインを掃引するように設計され得、その場合には、ミラー６８が、水平のスキャンラインを掃引し得る。また、慣性ドライブが、ミラー６８を駆動させるために用いられ得る。事実上は、いずれのミラーも、電気機械的、電気的、機械的、静電的、磁気的、または電磁的な駆動によって駆動され得る。
【００３６】
遅いミラーは、画像が表示される間に一定速度の掃引モードにおいて動作され得る。ミラーが戻る間、ミラーは、はるかに高いその固有周波数において、最初の位置に戻るように掃引される。ミラーが戻るまでの間、レーザーは、デバイスの電力消費を低減ささるために、パワーダウンされ得る。
【００３７】
図６は、図２の装置と同一の視点における、装置２０の実際的な実装である。前述の構成要素が、トップカバー１００および支持プレート１０２を含む支持部に取り付けられる。ホルダー１０４、１０６、１０８、１１０および１１２は、それぞれが、フォールディングミラー４２、４８、フィルタ５２、５４およびバウンスミラー６２を、共通の配列において保持する。各ホルダーは、支持部に固定するように取り付けられた位置決めポストを受け取るための、複数の位置決めスロットを有する。故に、ミラーおよびフィルタは、正しく配置される。示されるように、三つのポストが存在し、これによって、二つの角度調整および一つの横方向の調整を可能にする。各ホルダーは、最終位置に接着され得る。
【００３８】
画像は、一つ以上のスキャンラインにおけるピクセルの選択的な照明によって構築される。図７に関連して以下に詳細に記述されるように、コントローラ１１４は、三つのレーザービームによって、ラスターパターンにおいて選択されたピクセルを照明されるようにし、視覚できるように変える。例えば、赤色出力コントローラ１１６、青色出力コントローラ１１８および緑色出力コントローラ１２０のそれぞれが、赤色レーザー２２、青色レーザー２８および緑色レーザー３４に電流を導くことによって、該レーザーに電圧を加え、それぞれに選択されたピクセルで、それぞれの光ビームを放射させる。また、他の選択されていないピクセルを照明しないように赤色、青色および緑色のレーザーに電圧を加えないために、該レーザーには電流を導かない。照明されたピクセルおよび非照明されたピクセルの結果的に生じるパターンは、画像を構成し、該画像は、人間または機械が読取り可能な情報またはグラフィックのあらゆる表示となり得る。
【００３９】
図１を参照すると、ラスターパターンが拡大図において示される。エンドポイントから開始して、レーザービームは、慣性ドライブによって、水平スキャン速度で水平方向に沿って反対側のエンドポイントまで掃引され、スキャンラインを形成する。そこで、レーザービームは、電磁ドライブ７０によって、垂直スキャン速度で垂直方向に沿って別のエンドポイントまで掃引され、第２のスキャンラインを形成する。連続的なスキャンラインの形成が、同一方法で続く。
【００４０】
画像は、電力コントローラ１１６、１１８および１２０の操作による、マイクロプロセッサ１１４または制御回路の制御の下で、選択された時間においてレーザーをオンまたはオフにするように電圧を加えるかパルスすることによって、ラスターパターンの中に生成される。レーザーは、可視光を生成し、所望の画像の中のピクセルが、見られることが望まれるときにのみ、オンにされる。各ピクセルの色は、一つ以上の色のビームによって決定される。可視光のスペクトルにおける任意の色が、赤色、青色および緑色のレーザーのうちの一つ以上の選択的な重ね合わせによって形成され得る。ラスターパターンは、複数のラインの、各ライン上の複数のピクセルから成る、グリッドである。画像は、選択されたピクセルのビットマップである。全ての文字または数字、あらゆるグラフィックのデザインまたはロゴ、および機械読取り可能なバーコードシンボルでさえ、ビットマップの画像として形成され得る。
【００４１】
図７に示されるように、垂直および水平の同期データ、ならびにピクセルおよびクロックデータを有する、着信ビデオ信号は、マイクロプロセッサ１１４の制御の下で、赤色バッファ１２２、青色バッファ１２４および緑色バッファ１２６に送られる。一つの完全なＶＧＡフレームの格納は、多くのキロバイトを必要とし、バッファにおいて２つの完全なフレームのために充分なメモリを有することによって、一つのフレームが書き込まれ、一方で別のフレームが処理および投影されることを可能にすることが、望ましくあり得る。バッファされたデータは、スピードプロファイラ１３０の制御の下で、フォーマッタ１２８に送られ、また、赤色ルックアップテーブル（ＬＵＴ）１３２、青色ルックアップテーブル１３４および緑色ルックアップテーブル１３６に送られることによって、スキャニングによってもたらされる固有の慣性歪み、および投影された画像の表示角度によってもたらされる幾何的な歪みを補正する。結果的に生じる赤色、青色および緑色のデジタル信号は、デジタル−アナログコンバータ（ＤＡＣ）１３８、１４０および１４２によって、赤色、青色および緑色のアナログ信号に変換される。赤色および青色のアナログ信号は、赤色レーザードライバ（ＬＤ）１４４および青色レーザードライバ１４６に供給されるが、該ドライバはまた、赤色出力コントローラ１１６および青色出力コントローラ１１８に接続されている。緑色のアナログ信号は、ＡＯＭ無線周波数（ＲＦ）ドライバ１５０に供給され、次いで緑色レーザー３４に供給されるが、該レーザーはまた、緑色ＬＤ１４８および緑色出力コントローラ１２０に接続されている。
【００４２】
フィードバック制御はまた、図７において示され、赤色アナログ−デジタル（Ａ／Ｄ）コンバータ１５８、青色アナログ−デジタルコンバータ１６０および緑色アナログ−デジタルコンバータ１６２に、次いでマイクロプロセッサ１１４に接続された、赤色フォトダイオード増幅器１５２、青色フォトダイオード増幅器１５４および緑色フォトダイオード増幅器１５６を含む。熱は、Ａ／Ｄコンバータ１６６に接続され、次いでマイクロプロセッサに接続されたサーミスタ増幅器１６４によって監視される。
【００４３】
スキャンミラー６４および６８は、ドライバ１６８および１７０によって駆動され、該ドライバは、順番にマイクロプロセッサに接続されたＤＡＣ１７２および１７４から、アナログ駆動信号を供給される。フィードバック増幅器１７６および１７８は、スキャンミラー６４および６８の位置を検出し、フィードバックＡ／Ｄ１８０および１８２に接続され、次いでマイクロプロセッサに接続される。
【００４４】
電力管理回路１８４は、好適には全ての時間において緑色レーザーを保持し、赤色および青色レーザーの電流をレージング閾値の直ぐ下に維持することによって、電力を最小限に留める一方で、速いオンタイムを可能にするように動作可能である。
【００４５】
スキャンミラー６４または６８のいずれかが、ずれた位置に検出された場合には、レーザー安全運転停止回路１８６が、レーザーを停止させるように動作可能である。
【００４６】
図８に移ると、台形歪みの画像２００が、本発明に従って補正される前の機器１０から投影されるように図示される。示されるように、画像２００は、傾斜したスクリーン２０２に投影され、スクリーンの上部は、機器から離れており、該スクリーンの下部は、機器に近い。その結果として、スクリーン上部のスキャンラインは、スクリーンの下部のスキャンラインよりも長い。スクリーンが逆に傾いていた場合には、スクリーンの下部のスキャンラインが、スクリーンの上部のスキャンラインよりも長くなり得る。スクリーン２０２自体は、機器の射出窓１６に対して傾斜される必要はなく、それは、機器１０が、スクリーンに対する角度の向きに合わせられ得るからであり、または、スクリーンおよび機器の両方が、傾けられ得る。故に、歪みは、第２のスキャンミラー６８とスクリーン２０２との間のレーザービームによって移動した、さまざまな距離およびさまざまなスキャン角の関数である。レーザービームがより長い距離を移動した場合には、そのスキャンラインも長くなり、レーザービームが掃引されるスキャン角も大きくなる。投影される画像の中のより長いラインは、意に満たないものであり、それは、見る人が、台形のエリアではなく、正方形または長方形の画像エリアにおいて画像を見ることを望むからである。
【００４７】
図９は、本発明に従って補正される前の、糸巻型歪みの画像２０４を図示する。この場合において、スクリーン２０２は、機器の射出窓１６と平行であり、レーザービームが投影される光軸に対して垂直であり、中央に位置する。しかし、非常に幅広い投影角、例えば±３０度のために、画像２０４の上部および下部のスキャンラインは、該画像の中央のスキャンラインよりも長く、これによって、締め付けられたような側面を有する画像を生成する。
【００４８】
そのような使用における歪みを補正するために、図１０は、前述のマイクロコントローラ１１４、好適にはマイクロプロセッサが、第１（Ｘ軸）のスキャンミラー６４に対する駆動回路１６８に動作可能なように接続されている配列を図示する。駆動回路１６８は、振幅を有する駆動信号を生成する。駆動信号は、第１のスキャンミラー６４のための駆動モータ２０６に導かれる。先に記述されたように、好適な実施形態において、駆動信号は、ワイヤ８６および８８（図４を参照）に沿って導かれ、圧電変換器８２および８４に電圧を加える。駆動信号の振幅が高いほど、第１のスキャンミラー６４が振動する弓状の距離は大きくなり、その逆もまた同じである。
【００４９】
先に記述されたように、図５における圧電変換器９０および９２は、フィードバック増幅器１７６に、ワイヤ９４および９６に沿って導かれるフィードバック信号を生成するフィードバックデバイスとして用いられ、該フィードバック信号は、各スキャンラインに対する駆動信号の振幅に対応する振幅を有する。圧電変換器の代わりに、上述されたように、電磁フィードバックコイル２０８が、フィードバックデバイスとして用いられ得る。フィードバックコイル２０８は、第１のスキャンミラー６４に連動するように取り付けられた永久磁石との磁界の相互作用によって、フィードバック信号を生成する。
【００５０】
マイクロプロセッサ１１４は、フィードバック信号を受信し、その振幅を測定するように動作可能である。ルックアップテーブル（ＬＵＴ）２１０にアクセスすることによって、マイクロプロセッサは、駆動信号の振幅、次いでスキャン角Ａを決定する。一旦駆動信号の振幅が、各スキャンラインに対して知られると、マイクロプロセッサは、それらを互いに比較することによって、どのスキャンラインが他と長さが異なるかを決定する。マイクロプロセッサは、次いで各スキャンラインに対する駆動信号の振幅を調整することによって、同一の長さのスキャンラインを生成し、それによって、画像の歪みを補正する。
【００５１】
従って、本発明によれば、第１のスキャンミラー６４を振動する、慣性ドライブ６６に対する駆動信号の振幅、または言い換えると、第１のスキャンミラー６４が振動されるスキャン角Ａは、各フレームの間に、各スキャンラインに対する駆動信号の振幅（またはスキャン角）を積極的に変化させることによって制御される。例えば、駆動信号の振幅は、別のスキャンラインよりも機器から離れて位置するスキャンラインを短くするために、低減され得る。図８の台形歪みの場合において、駆動信号の振幅は、全てのフレームに対して繰り返す、線形ランプの波形となるように制御され得る。糸巻型歪みおよび台形歪みの両方を補正するために、駆動信号の振幅は、非線形となるように制御され得る。
【００５２】
補正の程度は、好適には、マイクロプロセッサによって動作可能なように接続されたユーザーインタフェース２１２によって、ユーザによる調整が可能である。このインタフェースは、キーパッド１４上のキーのうちの一つ、またはディスプレイ１２の選択されたタッチエリアであり得る。本発明を用いると、画像の解像度は損なわれず、それは、ピクセルの刈り取りが無いからである。
【００５３】
新たに主張されるものおよび特許証によって保護されることが望まれるものは、添付の特許請求の範囲において明らかになる。
【図面の簡単な説明】
【００５４】
【図１】図１は、作動距離において歪んでいない画像を投影している、ハンドヘルド機器の斜視図である。
【図２】図２は、図１の機器に実装する画像投影装置の拡大された、上部斜視図である。
【図３】図３は、図２の装置の上部平面図である。
【図４】図４は、図２の装置において使用する慣性ドライブの正面斜視図である。
【図５】図５は、図４の慣性ドライブの背面斜視図である。
【図６】図６は、図２の装置の実際的な実装の斜視図である。
【図７−１】図７は、図２の装置の動作を図示する、電気的な模式ブロック図である。
【図７−２】図７は、図２の装置の動作を図示する、電気的な模式ブロック図である。
【図８】図８は、台形歪みの画像を図示した、図１に類似した斜視図である。
【図９】図９は、糸巻型歪みの画像を図示した、図１に類似した斜視図である。
【図１０】図１０は、図８〜図９に示された歪んだ画像を補正する装置を図示する、ブロック図である。
【図１】
2008547054.tif 000003
【図２】
2008547054.tif 000004
【図３】
2008547054.tif 000005
【図４】
2008547054.tif 000006
【図５】
2008547054.tif 000007
【図６】
2008547054.tif 000008
【図７−１】
2008547054.tif 000009
【図７−２】
2008547054.tif 000010
【図８】
2008547054.tif 000011
【図９】
2008547054.tif 000012
【図１０】
2008547054.tif 000013
【国際調査報告】
2008547054.tif 000014
2008547054.tif 000015